(57)【要約】【課題】スノーダクト内への雪の落下を抑制することが可能なスノーダクト及び雪落下防止部材を提供する。【解決手段】上部に開口を有する断面凹状に形成された長尺なダクト本体と、ダクト本体に取り付けられる雪落下防止部材とを備え、雪落下防止部材は、ダクト本体の一方の側壁から他方の側壁に亘って延び、該ダクト本体の開口の一部を覆うよう構成された雪支持部を有する。ダクト本体は、長手方向に沿って配された複数のダクトセグメントを備え、雪落下防止部材は、隣接するダクトセグメント同士を連結する筒状のソケット部材を備え、ソケット部材は、両端縁部にそれぞれ、ダクトセグメントの端部を挿入可能な連結溝を有し、ソケット部材の上面が雪支持部として機能する。【選択図】図２
2020133387.tif 000002
【特許請求の範囲】
【請求項１】
上部に開口を有する断面凹状に形成された長尺なダクト本体と、  前記ダクト本体に取り付けられる雪落下防止部材とを備え、前記雪落下防止部材は、前記ダクト本体の一方の側壁から他方の側壁に亘って延び、該ダクト本体の前記開口の一部を覆うよう構成された雪支持部を有する
ことを特徴とするスノーダクト。
【請求項２】
前記ダクト本体は、長手方向に沿って配された複数のダクトセグメントを備え、
前記雪落下防止部材は、隣接する前記ダクトセグメント同士を連結する筒状のソケット部材を備え、前記ソケット部材は、両端縁部にそれぞれ、前記ダクトセグメントの端部を挿入可能な連結溝を有し、前記ソケット部材の上面が前記雪支持部として機能する
ことを特徴とする請求項１に記載のスノーダクト。
【請求項３】
前記雪落下防止部材は、前記ダクト本体の前記開口に着脱可能に構成されたロックバー部材を備え、前記ロックバー部材は、前記ダクト本体の一方の側壁に装着可能な第１装着部と、該ダクト本体の他方の側壁に装着可能な第２装着部と、該第１装着部から該第２装着部に亘って延びる前記雪支持部とを備える
ことを特徴とする請求項１又は２に記載のスノーダクト。
【請求項４】
上部に開口を有する断面凹状に形成された長尺なスノーダクトに取り付けられる雪落下防止部材であって、前記スノーダクトの一方の側壁から他方の側壁に亘って延び、該スノーダクトの前記開口の一部を覆うよう構成された雪支持部を有することを特徴とする雪落下防止部材。
【発明の詳細な説明】
【技術分野】
【０００１】  この発明は、無落雪屋根等に用いられるスノーダクト及び該スノーダクトに用いられる雪落下防止部材に関する。
【背景技術】
【０００２】  従来、雪国等の寒冷地住宅においては、積雪対策として無落雪屋根が採用されている。従来の無落雪屋根は、建物中央に向けて傾斜して設けられた屋根パネルと、該屋根パネルの下端部（谷部）に設けられたスノーダクト（雪桶）とを備えており、屋根パネルに積もった雪の融雪水をスノーダクトを介して地下の排水溝等に排水するよう構成されている（特許文献１等）。
【先行技術文献】
【特許文献】
【０００３】
【特許文献１】特開平７−２９２８８６号公報
【発明の概要】
【発明が解決しようとする課題】
【０００４】  しかしながら、従来の無落雪屋根は、屋根パネル上の雪がスノーダクト内に落下し、この落下した雪がスノーダクト内の流水経路を塞ぐことにより、排水の障害事故が発生するおそれがあるという問題がある。【０００５】  そこで、本発明は、スノーダクト内への雪の落下を抑制することが可能なスノーダクト及び雪落下防止部材を提供することを目的とする。
【課題を解決するための手段】
【０００６】  上記の目的を達成するため、本発明に係るスノーダクトは、上部に開口を有する断面凹状に形成された長尺なダクト本体と、前記ダクト本体に取り付けられる雪落下防止部材とを備え、前記雪落下防止部材は、前記ダクト本体の一方の側壁から他方の側壁に亘って延び、該ダクト本体の前記開口の一部を覆うよう構成された雪支持部を有することを特徴とする。【０００７】  本発明に係るスノーダクトにおいて、前記ダクト本体は、長手方向に沿って配された複数のダクトセグメントを備え、前記雪落下防止部材は、隣接する前記ダクトセグメント同士を連結する筒状のソケット部材を備え、前記ソケット部材は、両端縁部にそれぞれ、前記ダクトセグメントの端部を挿入可能な連結溝を有し、前記ソケット部材の上面が前記雪支持部として機能する構成としても良い。【０００８】  また、本発明に係るスノーダクトにおいて、前記雪落下防止部材は、前記ダクト本体の前記開口に着脱可能に構成されたロックバー部材を備え、前記ロックバー部材は、前記ダクト本体の一方の側壁に装着可能な第１装着部と、該ダクト本体の他方の側壁に装着可能な第２装着部と、該第１装着部から該第２装着部に亘って延びる前記雪支持部とを備える構成としても良い。【０００９】  また、本発明に係る雪落下防止部材は、上部に開口を有する断面凹状に形成された長尺なスノーダクトに取り付けられる雪落下防止部材であって、前記スノーダクトの一方の側壁から他方の側壁に亘って延び、該スノーダクトの前記開口の一部を覆うよう構成された雪支持部を有することを特徴とする。
【発明の効果】
【００１０】  本発明によれば、スノーダクト内への雪の落下を抑制することが可能なスノーダクト及び雪落下防止部材を提供することができる。
【図面の簡単な説明】
【００１１】
【図１】  本発明の一実施形態に係るスノーダクトの概略構成を示す平面図である。
【図２】  図２（ａ）は、本実施形態に係るスノーダクトの概略構成を示す正面斜視図であり、図２（ｂ）は、同スノーダクトの概略構成を示す背面斜視図である。
【図３】  図３（ａ）は、ダクトセグメントの概略構成を示す斜視図であり、図３（ｂ）は、同ダクトセグメントの概略構成を示す正面図であり、図３（ｃ）は、図３（ｂ）のＡ−Ａ線に沿った断面図である。
【図４】  図４（ａ）は、ドレン付ダクトセグメントの概略構成を示す正面斜視図であり、図４（ｂ）は、同ドレン付ダクトセグメントの概略構成を示す背面斜視図であり、図４（ｃ）は、同ドレン付ダクトセグメントの概略構成を示す平面図であり、図４（ｄ）は、同ドレン付ダクトセグメントの概略構成を示す正面図であり、図４（ｅ）は、図４（ｄ）のＢ−Ｂ線に沿った断面図である。
【図５】  図５（ａ）は、ソケット部材の概略構成を示す斜視図であり、図５（ｂ）は、同ソケット部材を用いて、互いに隣接するダクトセグメント同士を連結させた状態を示す斜視図であり、図５（ｃ）は、同状態における平面図であり、図５（ｄ）は、同状態における正面図であり、図５（ｅ）は、図５（ｄ）のＣ−Ｃ線に沿った断面図である。
【図６】  図６（ａ）は、ロックバー部材の概略構成を示す斜視図であり、図６（ｂ）は、同ロックバー部材をダクト本体に取り付けた状態を示す斜視図であり、図６（ｃ）は、同状態における平面図であり、図６（ｄ）は、同状態における正面図であり、図６（ｅ）は、図６（ｄ）のＤ−Ｄ線に沿った断面図である。
【図７】  図７（ａ）は、エンドキャップの概略構成を示す正面斜視図であり、図７（ｂ）は、同エンドキャップの概略構成を示す背面斜視図であり、図７（ｃ）は、同エンドキャップをダクト本体に取り付けた状態を示す斜視図であり、図７（ｄ）は、同状態における正面図であり、図７（ｅ）は、図７（ｄ）のＥ−Ｅ線に沿った断面図である。
【図８】  図８（ａ）は、ドレン付エンドキャップの概略構成を示す正面斜視図であり、図８（ｂ）は、同ドレン付エンドキャップの概略構成を示す背面斜視図であり、図８（ｃ）は、同ドレン付エンドキャップをダクト本体に取り付けた状態を示す斜視図であり、図８（ｄ）は、同状態における正面図であり、図８（ｅ）は、図８（ｄ）のＦ−Ｆ線に沿った断面図である。
【図９】  本実施形態に係るスノーダクトの使用状態を示す図であり、図９（ａ）は、ソケット部材部分における断面図であり、図９（ｂ）は、ロックバー部材部分における断面図であり、図９（ｃ）は、第１の雪支持状態における図９（ａ）のＧ−Ｇ線に沿った断面図であり、図９（ｄ）は、第２の雪支持状態における図９（ａ）のＧ−Ｇ線に沿った断面図である。
【発明を実施するための形態】
【００１２】  以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】  本実施形態に係るスノーダクト１は、雪国等の寒冷地住宅における無落雪屋根に採用可能なスノーダクトであり、従来のスノーダクトと同様に、傾斜して設けられた屋根パネルの下端部に設けられ、屋根パネルに積もった雪の融雪水を排水するよう構成されている。一方、本実施形態に係るスノーダクト１は、従来のスノーダクトとは異なり、スノーダクト１内への雪の落下が抑制されている。以下、本実施形態に係るスノーダクト１の具体的な構成について、詳述する。なお、本実施形態に係るスノーダクト１を無落雪屋根に取り付ける方法は、既知の方法を任意に採用可能であるため、その説明を省略する。
【００１４】  本実施形態に係るスノーダクト１は、図１及び図２に示すように、上部に開口１２を有する断面凹状に形成された長尺なダクト本体１０と、ダクト本体１０に取り付けられる雪落下防止部材２０，３０とを備えている。また、スノーダクト１は、ダクト本体１０の長手方向における一端部を閉塞するエンドキャップ４０と、反対側の端部（後述するドレン付ダクトセグメント１０Ｄ側の端部）を閉塞するドレン付エンドキャップ５０とを更に備えている。
【００１５】  ダクト本体１０は、図１及び図２に示すように、長手方向に沿って複数に分割されており、本実施形態では、複数のダクトセグメント１０Ａ〜１０Ｃと、ダクト本体１０の長手方向の一端に配置されるドレン付ダクトセグメント１０Ｄとを備えている。
【００１６】  ダクトセグメント１０Ａ〜１０Ｃは、樹脂や金属等の任意の素材からなり、図３に示すように、上部に開口１２を有する断面凹状に形成された桶状に形成されている。具体的には、ダクトセグメント１０Ａ〜１０Ｃは、互いに対向する一対の側壁１４ａ，１４ｂと、一方の側壁１４ａの下端縁部から他方の側壁１４ｂの下端縁部に亘って延びる底壁１４ｃとを有している。また、ダクトセグメント１０Ａ〜１０Ｃは、一対の側壁１４ａ，１４ｂの上端縁部間が開放されることで、上部に開口１２が形成されている。
【００１７】  ドレン付ダクトセグメント１０Ｄは、樹脂や金属等の任意の素材からなり、ダクトセグメント１０Ａ〜１０Ｃと同様に、一対の側壁１４ａ，１４ｂ及び底壁１４ｃからなる断面凹状の桶状に形成されており、上部に開口１２を有している（図４参照）。ドレン付ダクトセグメント１０Ｄの側壁１４ａ，１４ｂ及び底壁１４ｃは、ダクトセグメント１０Ａ〜１０Ｃの側壁１４ａ，１４ｂ及び底壁１４ｃと同形同大となるよう構成されている。
【００１８】  ドレン付ダクトセグメント１０Ｄの底壁１４ｃにおける、長手方向の一端側には、ダクトセグメント１０Ａ〜１０Ｃと異なり、下方に向けて開口するドレン１６が設けられている。ドレン１６は、スノーダクト１の下部に配される縦桶（図示せず）に接続可能に構成されており、該縦桶を介して、スノーダクト１内の融雪水を地下の排水溝等に排水可能に構成されている。
【００１９】  これらダクトセグメント１０Ａ〜１０Ｃ及びドレン付ダクトセグメント１０Ｄの長手方向の長さは、任意に設定可能であり、例えば１〜２ｍ程度の長さとすることができる。これらダクトセグメント１０Ａ〜１０Ｃ及びドレン付ダクトセグメント１０Ｄは、互いに同じ長さを有する構成としても良いし、互いに異なる長さを有する構成としても良い。前者の場合には、製造コストを抑えることが可能となり、後者の場合には、施工現場に応じてスノーダクト１の長さを任意に調整することが可能となる。また、ダクトセグメント１０Ａ〜１０Ｃの個数は、施工現場において要求されるスノーダクト１の全体長さ（通常１０ｍ程度）に応じて適宜設定される。
【００２０】  雪落下防止部材２０，３０は、図１及び図２に示すように、隣接するダクトセグメント１０Ａ〜１０Ｃ同士及びダクトセグメント１０Ｃとドレン付ダクトセグメント１０Ｄとを連結可能に構成されたソケット部材２０と、ダクト本体１０の開口１２に着脱可能に構成されたロックバー部材３０とを備えている。すなわち、本明細書において、「雪落下防止部材」とは、ソケット部材２０及びロックバー部材３０を含む種々の雪落下防止手段の総称である。
【００２１】  ソケット部材２０は、樹脂や金属等の任意の素材からなり、図５に示すように、互いに対向する一対の側壁２２ａ，２２ｂと、一方の側壁２２ａの下端縁部から他方の側壁２２ｂの下端縁部に亘って延びる底壁２２ｃと、一方の側壁２２ａの上端縁部近傍から他方の側壁２２ｂの上端縁部近傍に亘って延びる上壁（上面）２２ｄとを有する角筒状に形成されている。
【００２２】  ソケット部材２０の側壁２２ａ，２２ｂ及び底壁２２ｃは、ダクト本体１０（ダクトセグメント１０Ａ〜１０Ｃ及びドレン付ダクトセグメント１０Ｄ）の側壁１４ａ，１４ｂ及び底壁１４ｃに沿った形状を有している。また、ソケット部材２０の軸方向の両端縁部には、それぞれ、一対の側壁２２ａ，２２ｂ及び底壁２２ｃに亘って、ダクトセグメント１０Ａ〜１０Ｃ及びドレン付ダクトセグメント１０Ｄの端部（側壁１４ａ，１４ｂ及び底壁１４ｃの長手方向の端縁部）を挿入可能な連結溝２４ａ，２４ｂが形成されている。以上の構成を備えるソケット部材２０は、一方の連結溝２４ａに一方のダクトセグメント（例えばダクトセグメント１０Ａ）を挿入し、他方の連結溝２４ｂに他方のダクトセグメント（例えばダクトセグメント１０Ｂ）を挿入することで、隣接するダクトセグメント同士を液密に連結することが可能に構成されている。
【００２３】  ソケット部材２０の上壁（上面）２２ｄは、底壁２２ｃに対して平行な平面からなり、図５に示すように、隣接するダクトセグメント同士を連結させた状態において、ダクト本体１０（ダクトセグメント１０Ａ〜１０Ｃ及びドレン付ダクトセグメント１０Ｄ）の一方の側壁１４ａから他方の側壁１４ｂに亘って延び、ダクト本体１０の開口１２の一部を覆うよう構成された雪支持部として機能するよう構成されている。なお、ソケット部材２０の上壁２２ｄが雪支持部として機能する点については、後述する。
【００２４】  ロックバー部材３０は、樹脂や金属等の任意の素材からなり、図６に示すように、ダクト本体１０（ダクトセグメント１０Ａ〜１０Ｃ及びドレン付ダクトセグメント１０Ｄ）の一方の側壁１４ａに装着可能な第１装着部３２と、該ダクト本体１０の他方の側壁１４ｂに装着可能な第２装着部３４と、第１装着部３２から第２装着部３４に亘って延びる平面部３６とを備えている。
【００２５】  ロックバー部材３０の第１装着部３２及び第２装着部３４は、それぞれ逆Ｕ字状に形成されており、ダクト本体１０の側壁１４ａ，１４ｂの上端縁部に引っ掛け可能に構成されている。
【００２６】  ロックバー部材３０の平面部３６は、ダクト本体１０に装着された状態において、ダクト本体１０（ダクトセグメント１０Ａ〜１０Ｃ及びドレン付ダクトセグメント１０Ｄ）の底壁１４ｃと平行な平面となるよう構成されている。また、平面部３６は、ダクト本体１０に装着された状態において、同じくダクト本体１０に装着されたソケット部材２０の上壁２２ｄと概ね同じ高さ方向の位置となるよう、第１装着部３２及び第２装着部３４間に架け渡されている。以上の構成を備える平面部３６は、ダクト本体１０に装着された状態において、ダクト本体１０（ダクトセグメント１０Ａ〜１０Ｃ及びドレン付ダクトセグメント１０Ｄ）の一方の側壁１４ａから他方の側壁１４ｂに亘って延び、ダクト本体１０の開口１２の一部を覆うよう構成された雪支持部として機能するよう構成されている。なお、ロックバー部材３０の平面部３６が雪支持部として機能する点については、後述する。
【００２７】  以上の構成を備えるロックバー部材３０は、２つのソケット部材２０間、ソケット部材２０とエンドキャップ４０との間、及び、ソケット部材２０とドレン付エンドキャップ５０との間の任意の位置に、任意の個数設けられている。ロックバー部材３０と他の部材（ソケット部材２０、エンドキャップ４０又はドレン付エンドキャップ５０）との間隔は、スノーダクト１内への雪の落下を抑制することが可能な間隔であれば任意に設定可能であり、例えば、５０ｃｍ〜２ｍ程度に設定することが可能である。
【００２８】  エンドキャップ４０は、樹脂や金属等の任意の素材からなり、図７に示すように、互いに対向する一対の側壁４２ａ，４２ｂと、一方の側壁４２ａの下端縁部から他方の側壁４２ｂの下端縁部に亘って延びる底壁４２ｃと、一方の側壁４２ａの上端縁部から他方の側壁４２ｂの上端縁部に亘って延びる上壁４２ｄとを有する角筒状に形成されている。エンドキャップ４０の側壁４２ａ，４２ｂ及び底壁４２ｃは、ダクト本体１０（ダクトセグメント１０Ａ）の側壁１４ａ，１４ｂ及び底壁１４ｃに沿った形状を有している。
【００２９】  エンドキャップ４０の軸方向の一方側の縁部は、閉塞壁４２ｅにより閉塞されており、他方側の縁部は、開放されている。エンドキャップ４０の開放側の縁部には、一対の側壁４２ａ，４２ｂ及び底壁４２ｃに亘って、ダクト本体１０（ダクトセグメント１０Ａ）の端部（側壁１４ａ，１４ｂ及び底壁１４ｃの長手方向の端縁部）を挿入可能な挿入溝４４が形成されている。以上の構成を備えるエンドキャップ４０は、図７に示すように、挿入溝４４にダクトセグメント１０Ａを挿入することで、ダクト本体１０の長手方向における一端部を液密に閉塞することが可能に構成されている。
【００３０】  ドレン付エンドキャップ５０は、樹脂や金属等の任意の素材からなり、エンドキャップ４０と同様に、一対の側壁５２ａ，５２ｂ、底壁５２ｃ、上壁５２ｄ及び閉塞壁５２ｅを有する有底角筒状に形成されている（図８参照）。ドレン付エンドキャップ５０の側壁５２ａ，５２ｂ、底壁５２ｃ及び上壁５２ｄは、エンドキャップ４０の側壁４２ａ，４２ｂ、底壁４２ｃ及び上壁４２ｄと同形同大となるよう構成されている。ドレン付エンドキャップ５０の開放側の縁部には、エンドキャップ４０と同様に、ダクト本体１０（ドレン付ダクトセグメント１０Ｄ）の端部（側壁１４ａ，１４ｂ及び底壁１４ｃの長手方向の端縁部）を挿入可能な挿入溝５４が形成されている。
【００３１】  ドレン付エンドキャップ５０の閉塞壁５２ｅには、エンドキャップ４０の閉塞壁４２ｅと異なり、上端部近傍から水平方向に向けて開口するドレン５６が設けられている。ドレン５６は、スノーダクト１内に溜まった融雪水をスノーダクト１外に排水可能に構成されている。以上の構成を備えるドレン付エンドキャップ５０は、図８に示すように、挿入溝５４にドレン付ダクトセグメント１０Ｄを挿入することで、ダクト本体１０の長手方向における一端部を液密に閉塞しつつ、スノーダクト１からの融雪水の溢れ出しを防止することが可能に構成されている。
【００３２】  以上説明したとおり、本実施形態に係るスノーダクト１は、上部に開口１２を有する断面凹状に形成された長尺なダクト本体１０と、ダクト本体１０に取り付けられる雪落下防止部材２０，３０とを備え、この雪落下防止部材２０，３０が、ダクト本体１０の一方の側壁１４ａから他方の側壁１４ｂに亘って延び、該ダクト本体１０の開口１２の一部を覆うよう構成された雪支持部（ソケット部材２０の上壁２２ｄ，ロックバー部材３０の平面部３６）を有している。
【００３３】  そして、このような構成を備えるスノーダクト１によれば、屋根パネル上の雪Ｓがスノーダクト１に向けて押し出された場合であっても、図９（ａ）、図９（ｂ）及び図９（ｄ）に示すように、雪支持部（ソケット部材２０の上壁２２ｄ，ロックバー部材３０の平面部３６）によって雪Ｓを支持し、スノーダクト１内への落下を抑制することが可能となる。
【００３４】  すなわち、通常、屋根パネルから滑り落ちる雪は、ある程度固まった状態であるため、雪支持部が所定の間隔をおいて離間していても（ソケット部材２０の上壁２２ｄとロックバー部材３０の平面部３６とが互いに離間していても）、図９（ｄ）に示すように、スノーダクト１内へ落下することなく雪支持部によって支持される。また、仮にスノーダクト１内へ雪Ｓが進入したとしても、図９（ｃ）に示すように、雪支持部（ソケット部材２０の上壁２２ｄ，ロックバー部材３０の平面部３６）が存在する部分には雪Ｓが進入せず、それゆえ、スノーダクト１内における雪Ｓの露出面積（表面積）が大きくなるため、スノーダクト１内における雪Ｓの融雪が促進され、結果として、図９（ｄ）に示す支持状態となる。
【００３５】  そして、本実施形態に係るスノーダクト１によれば、このようにスノーダクト１内への雪Ｓの落下を抑制することが可能となることにより、スノーダクト１内のトンネル空間を確保し、スノーダクト１内の流水経路が塞がる等の排水の障害事故の発生を抑止することが可能となると共に、融雪を早めることが可能となる。
【００３６】  また、本実施形態に係るスノーダクト１は、ダクト本体１０が長手方向に沿って複数に分割され、この分割されたダクトセグメント（ダクトセグメント１０Ａ〜１０Ｃ，ドレン付ダクトセグメント１０Ｄ）をソケット部材２０により連結する構成を備えることにより、上述した落雪抑制効果に加え、施工コストを大幅に抑えると共に作業効率を大幅に向上させることが可能となるという利点を有する。
【００３７】  すなわち、従来、スノーダクトは、現場毎に採寸し、オーダーにより制作する一点物であることが一般的であり、それゆえ、施工時には、１０ｍを超える長物を大型トレーラ等を用いて工場から現場まで搬送し、荷揚げクレーン等を用いて建物屋根まで引き上げる必要がある。このため、従来のスノーダクトでは、輸送コスト等を含む施工コストが膨大になると共に、現地での設置調整に手間取る等の難点があり、その普及の障害になっていた。これに対し、本実施形態に係るスノーダクト１は、上述のとおりダクト本体１０を分割可能な構成としたことにより、工場生産によるオーダーメイド方式を避け、ダクト本体１０を分割したノックダウン方式を採用することが可能となる。そして、このようなノックダウン方式によれば、輸送に大型トレーラを用いる必要が無くなるため、輸送コストを大幅に削減することが可能になると共に、建物最上部（屋根）に設置する際に荷揚げクレーン等を用いる必要も無くなるため、施工コストだけではなく作業効率を大幅に向上させることが可能となる。また、増築時のスノーダクト１の延伸接続が容易となり、コストダウンを図ることが可能となる。
【００３８】  また、本実施形態に係るスノーダクト１では、任意の種類及び数のダクトセグメント（ダクトセグメント１０Ａ〜１０Ｃ，ドレン付ダクトセグメント１０Ｄ）を用いて所望の長さのダクト本体１０とした上で、エンドキャップ４０及びドレン付エンドキャップ５０によりダクト本体１０の両端部を閉塞してスノーダクト１を現場で作成することが可能である。このため、本実施形態に係るスノーダクト１によれば、多彩な建物設計に順応したスノーダクト１を現場にて再現可能で、応用性が高いという利点も有する。
【００３９】  さらに、本実施形態に係るスノーダクト１では、ソケット部材２０の上壁２２ｄに加え、ダクト本体１０の任意の位置に装着可能なロックバー部材３０の平面部３６を雪支持部として機能させる構成としたことにより、落雪抑制効果を高めることが可能となる。また、本実施形態に係るスノーダクト１は、ロックバー部材３０を採用したことにより、ダクト本体１０の上部のハラミ（幅方向の膨張）を抑制することが可能となる。
【００４０】  以上、本発明の好適な実施形態について説明したが、本発明の技術的範囲は、上述した実施形態に記載の範囲には限定されない。上記各実施形態には、多様な変更又は改良を加えることが可能である。
【００４１】  例えば、上述の実施形態においては、ダクト本体１０が長手方向に沿って複数に分割されるものとして説明したが、これに限定されず、一体物のダクト本体１０としても良い。この場合には、ロックバー部材３０の平面部３６のみが雪支持部として機能することとなる。
【００４２】  また、上述の実施形態においては、ソケット部材２０に加えてロックバー部材３０も設けられるものとして説明したが、これに限定されず、ロックバー部材３０が設けられない構成としても良い。この場合には、ソケット部材２０の上壁２２ｄのみが雪支持部として機能することとなる。
【００４３】  上記のような変形例が本発明の範囲に含まれることは、特許請求の範囲の記載から明らかである。
【符号の説明】
【００４４】１      ：スノーダクト
１０    ：ダクト本体
１０Ａ〜１０Ｃ  ：ダクトセグメント
１０Ｄ  ：ドレン付ダクトセグメント（ダクトセグメント）
１２    ：開口
１４ａ，１４ｂ  ：側壁
２０    ：ソケット部材（雪落下防止部材）
２２ｄ  ：上壁（雪支持部）
２４ａ，２４ｂ  ：連結溝
３０    ：ロックバー部材（雪落下防止部材）
３２    ：第１装着部
３４    ：第２装着部
３６    ：平面部（雪支持部）
４０    ：エンドキャップ
５０    ：ドレン付エンドキャップ
Ｓ      ：雪
【図１】
2020133387.tif 000003
【図２】
2020133387.tif 000004
【図３】
2020133387.tif 000005
【図４】
2020133387.tif 000006
【図５】
2020133387.tif 000007
【図６】
2020133387.tif 000008
【図７】
2020133387.tif 000009
【図８】
2020133387.tif 000010
【図９】
2020133387.tif 000011